(57)【要約】      （修正有）【課題】フイルムからデジタル化した画像データを簡単に管理する。【解決手段】同じフイルムから読み取った画像データに同じフイルムＩＤの情報を付加して記憶メディアに記録する。これにより、記録メディアに記録された画像データを管理する際、画像データに付加されたフイルムＩＤの情報を読み取ることにより、同じフイルムから読み取った画像データを容易に把握することができる。また、画像ファイルに付されたコマ番号が撮影順と逆になっている場合は、同じフイルムＩＤの画像ファイルに対してコマ番号を一括して逆転させることにより、撮影順に直すことができる。【選択図】図８
2005269219.tif 000002
【特許請求の範囲】
【請求項１】
フイルムに記録されている画像をフイルムの先頭コマから順に読み取ってコマごとにデジタルの画像データに変換し、読み取った順にコマ番号を付して記憶メディアに記録するフイルムデジタイズ装置において、
同じフイルムから読み取った一連の画像データに対して同じフイルムＩＤの情報を付加して記憶メディアに記録する記録制御手段を備えたことを特徴とするフイルムデジタイズ装置。
【請求項２】
フイルムに付加されたワインド情報を読み取るワインド情報読取手段を備え、該ワインド情報読取手段で読み取ったワインド情報に基づいて、撮影された順にコマ番号を付して画像データを記憶メディアに記録することを特徴とする請求項１に記載のフイルムデジタイズ装置。
【請求項３】
前記記録制御手段は、前記フイルムＩＤの情報とともに、コマ番号が撮影順に付されているか否かの情報を付加して画像データを記憶メディアに記録することを特徴とする請求項２に記載のフイルムデジタイズ装置。
【請求項４】
請求項１、２又は３に記載のフイルムデジタイズ装置でフイルムから読み取った画像データを管理する画像管理プログラムであって、
同じフイルムＩＤの情報が付加された画像データの抽出指示を受け付ける機能と、
前記抽出指示に応じて同じフイルムＩＤの情報が付加された一連の画像データを抽出する機能と、
をコンピュータに実現させることを特徴とする画像管理プログラム。
【請求項５】
抽出した一連の画像データのサムネイル画像をコマ番号の順に表示装置に表示する機能と、
抽出した一連の画像データに対してコマ番号の書換指示を受け付ける機能と、
前記書換指示に応じて前記表示装置に表示されるサムネイル画像の並びが逆になるように、抽出した一連の画像データのコマ番号を書き換える機能と、
をコンピュータに実現させることを特徴とする請求項４に記載の画像管理プログラム。
【請求項６】
抽出した一連の画像データに対して指定された撮影日時の情報を付加する機能を前記コンピュータに実現させることを特徴とする請求項４又は５に記載の画像管理プログラム。
【請求項７】
コマ番号の順に指定された差分だけずらして撮影日時の情報を付加する機能を前記コンピュータに実現させることを特徴とする請求項６に記載の画像管理プログラム。
【発明の詳細な説明】
【技術分野】
【０００１】
本発明はフイルムデジタイズ装置及び画像管理プログラムに係り、特にフイルムに記録されている画像をデジタルの画像データに変換し、変換された画像データを管理するフイルムデジタイズ装置及び画像管理プログラムに関する。
【背景技術】
【０００２】
ＤＰＥ店などでは、フイルムで撮った写真をデジタル化し、ＣＤ−Ｒ等の記憶メディアに記録するサービスが行なわれている。通常、このサービスではフイルムの先頭コマから順に画像を読み取ってデジタル化し、ＣＤ−Ｒに書き込んでゆく。
【０００３】
ところで、フイルムを用いたカメラの撮影方式には、フイルムを１コマずつスプールに巻き取りながら撮影するノーマルワインド方式と、フイルムを装填した時点で一旦スプールに巻き取り、１コマずつパトローネに巻き戻しながら撮影するプレワインド方式とがあり、プレワインド方式のカメラで撮影されたフイルムに対して上記の書き込みサービスを利用すると、ＣＤ−Ｒに書き込まれる画像の順番が撮影した順番の逆になってしまうという問題があった。
【０００４】
そこで、特許文献１では、ＡＰＳフイルムの磁気記録層に記録されているワインド情報を元に撮影方向を判断し、撮影順に画像を読み取って、ＣＤ−Ｒに書き込むことが提案されている。
【０００５】
また、特許文献２では、ＡＰＳフイルムの磁気記録層に記録されたコマ番号から撮影方向を判断し、撮影順に再生することが提案されている。
【特許文献１】特開平８−２８６２９１号公報
【特許文献２】特開平７−３０７８９４号公報
【発明の開示】
【発明が解決しようとする課題】
【０００６】
しかしながら、特許文献１、２の方法は、磁気記録層を持たない１３５フイルムには適用することができないという欠点がある。
【０００７】
本発明は、このような事情に鑑みてなされたもので、フイルムからデジタル化した画像データを簡単に管理することができるフイルムデジタイズ装置及び画像管理プログラムを提供することを目的とする。
【課題を解決するための手段】
【０００８】
請求項１に係る発明は、前記目的を達成するために、フイルムに記録されている画像をフイルムの先頭コマから順に読み取ってコマごとにデジタルの画像データに変換し、読み取った順にコマ番号を付して記憶メディアに記録するフイルムデジタイズ装置において、同じフイルムから読み取った一連の画像データに対して同じフイルムＩＤの情報を付加して記憶メディアに記録する記録制御手段を備えたことを特徴とするフイルムデジタイズ装置を提供する。
【０００９】
本発明によれば、同じフイルムから読み取った画像データには、同じフイルムＩＤの情報が付加されて記憶メディアに記録される。これにより、たとえば記憶メディアに記録された画像データをパーソナルコンピュータに取り込んで管理する際、画像データに付加されたフイルムＩＤの情報を読み取ることにより、同じフイルムから読み取った画像データを容易に抽出することができる。また、抽出した画像ファイルにコマ番号が撮影順とは逆に付されている場合には、コマ番号を一括して逆転させることにより、コマ番号を撮影順に直すことができる。
【００１０】
また、請求項２に係る発明は、前記目的を達成するために、フイルムに付加されたワインド情報を読み取るワインド情報読取手段を備え、該ワインド情報読取手段で読み取ったワインド情報に基づいて、撮影された順にコマ番号を付して画像データを記憶メディアに記録することを特徴とする請求項１に記載のフイルムデジタイズ装置を提供する。
【００１１】
本発明によれば、フイルムに撮影方向を示すワインド情報が記録されている場合にフイルムＩＤの情報と共にワインド情報が付加されて画像データが記憶メディアに記録される。これにより、同じフイルムから読み取った画像データを容易に把握することができるとともに、撮影方向を把握することができる。
【００１２】
また、請求項３に係る発明は、前記目的を達成するために、前記記録制御手段は、前記フイルムＩＤの情報とともに、コマ番号が撮影順に付されているか否かの情報を付加して画像データを記憶メディアに記録することを特徴とする請求項２に記載のフイルムデジタイズ装置を提供する。
【００１３】
本発明によれば、フイルムＩＤの情報とともに、コマ番号が撮影順に付されているか否かの情報が画像データに付加されて記憶メディアに記録される。これにより、コマ順確定情報の有無に応じた取り扱いが可能になり、効率的な処理を行なうことができる。
【００１４】
また、請求項４に係る発明は、前記目的を達成するために、請求項１、２又は３に記載のフイルムデジタイズ装置でフイルムから読み取った画像データを管理する画像管理プログラムであって、同じフイルムＩＤの情報が付加された画像データの抽出指示を受け付ける機能と、前記抽出指示に応じて同じフイルムＩＤの情報が付加された一連の画像データを抽出する機能と、をコンピュータに実現させることを特徴とする画像管理プログラムを提供する。
【００１５】
本発明によれば、抽出指示が出されると、同じフイルムＩＤの情報が付加された一連の画像データが抽出される。これにより、同じフイルムから読み出した画像ファイルを一括して扱うことができるようになる。たとえば、一括して他のフォルダにコピーしたり、移動させたりすることができる。
【００１６】
また、請求項５に係る発明は、前記目的を達成するために、抽出した一連の画像データのサムネイル画像をコマ番号の順に表示装置に表示する機能と、抽出した一連の画像データに対してコマ番号の書換指示を受け付ける機能と、前記書換指示に応じて前記表示装置に表示されるサムネイル画像の並びが逆になるように、抽出した一連の画像データのコマ番号を書き換える機能と、をコンピュータに実現させることを特徴とする請求項４に記載の画像管理プログラムを提供する。
【００１７】
本発明によれば、抽出した画像ファイルのサムネイル画像が、コマ番号の順に表示装置に表示される。そして、書換指示が出されると、表示装置に表示されるサムネイル画像の並びが逆になるように、抽出した一連の画像データのコマ番号が書き換えられる。
【００１８】
また、請求項６に係る発明は、前記目的を達成するために、抽出した一連の画像データに対して指定された撮影日時の情報を付加する機能を前記コンピュータに実現させることを特徴とする請求項４又は５に記載の画像管理プログラムを提供する。
【００１９】
本発明によれば、抽出指示に応じて抽出された一連の画像データに対して指定された撮影日時の情報を付加することができる。
【００２０】
また、請求項７に係る発明は、前記目的を達成するために、コマ番号の順に指定された差分だけずらして撮影日時の情報を付加する機能を前記コンピュータに実現させることを特徴とする請求項６に記載の画像管理プログラムを提供する。
【００２１】
本発明によれば、コマ番号の順に指定された差分だけずらして撮影日時の情報を付加することができる。これにより、撮影された日時順に並べる処理を行なうことができる。
【発明の効果】
【００２２】
本発明によれば、フイルムからデジタル化した画像データを簡単に管理することができる。
【発明を実施するための最良の形態】
【００２３】
以下、添付図面に従って本発明に係るフイルムデジタイズ装置及び画像管理プログラムを実施するための最良の形態について説明する。
【００２４】
図１は、本発明に係るフイルムデジタイズ装置の一実施形態を示すブロック図である。同図に示すように、フイルムデジタイズ装置１０は、フイルムスキャナ１２、スキャナ用メモリ１４、システムコントローラ１６、操作部１８、画像処理部２０、ハードディスクドライブ（ＨＤＤ）２２、ＣＤ−Ｒドライブ２４等で構成されている。
【００２５】
フイルムスキャナ１２は、セットされた現像処理済みフイルムから撮影画像を読み取り、読み取った撮影画像をデジタルの画像信号としてスキャナ用メモリ１４に出力する。このフイルムスキャナ１２は、ＡＰＳフイルム、１３５フイルム、ブローニーフイルム等、各タイプのフイルムから撮影画像の読み取りができるようにされている。
【００２６】
なお、ＡＰＳフイルムの場合は、フイルムカートリッジに収納された状態でセットされて、撮影画像の読み取りが行なわれる。一方、１３５フイルムの場合は、フイルムカートリッジから引き出したフイルムロールの形で、あるいはフイルムロールを複数に分断したピースの形でセットされて、撮影画像の読み取りが行なわれる。ブローニーフイルムの場合もフイルムロールの形で、あるいはフイルムロールを複数に分断したピースの形でセットされて、撮影画像の読み取りが行なわれる。
【００２７】
また、このフイルムスキャナ１２は、ＡＰＳフイルムの磁気記録層に記録された磁気記録情報を読み取る磁気記録情報読取装置２６を備えている。この磁気記録情報には、フイルムの撮影方向を示すワインド情報が含まれており、読み取られた磁気記録情報は、システムコントローラ１４に出力される。
【００２８】
システムコントローラ１６は、ＣＰＵ、ＲＯＭ、ＲＡＭ等からなり、操作部１８からの指示に基づき、所定のプログラムに従ってフイルムデジタイズ装置全体の動作を統括制御する。
【００２９】
フイルムスキャナ１２から出力されたデジタルの画像信号は、一旦、スキャナ用メモリ１４に取り込まれたのち、画像処理部２０に加えられる。画像処理部２０は、システムコントローラ１６からのコマンドに従って入力された画像信号に所要の信号処理を施し、画像データを生成する。
【００３０】
画像処理部２０で生成された画像データは、システムコントローラ１６によって所定フォーマット（たとえば、Ｅｘｉｆ形式）に従った画像ファイルとされたのち、所定のファイル名が付与されてＨＤＤ２２に格納される。そして、このＨＤＤ２２に格納された画像ファイルが、システムコントローラ１６からのコマンドに従ってＣＤ−Ｒドライブ２４に送られ、ＣＤ−Ｒドライブ２４によってＣＤ−Ｒに書き込まれる。
【００３１】
図２は、本実施の形態のフイルムデジタイズ装置１０におけるフイルムデジタイズ処理の手順を示すフローチャートである。
【００３２】
まず、処理対象のフイルムが、フイルムスキャナ１２にセットされると、システムコントローラ１６は、フイルムの撮影方向が判定可能か否かを判断する（ステップＳ１０）。この判断は、磁気記録情報読取装置２６で読み取られた磁気記録情報に基づいて判断される。したがって、フイルムの撮影方向を判定できるのは、ＡＰＳフイルムの場合だけであり、ＡＰＳフイルム以外のフイルムについては、撮影方向判定不能と判断される。また、ＡＰＳフイルムであっても磁気記録情報にワインド情報が含まれていない場合には、撮影方向判定不能と判断される。
【００３３】
そして、撮影方向判定可能と判断した場合、システムコントローラ１６は、セットされたフイルムに記録されている撮影画像を撮影順にデジタイズする（ステップＳ１１）。すなわち、フイルムスキャナ１２に対して撮影順に撮影画像を読み取らせ、読み取った順に画像処理部２０で画像データを生成させる。
【００３４】
生成された画像データは、システムコントローラ１６にて所定フォーマット（ここでは、Ｅｘｉｆ）の画像ファイルとされたのち、ＨＤＤ２２に格納されるが、この際、システムコントローラ１６は、読み取った順に画像ファイルにコマ番号を付してＨＤＤ２２に格納する。このコマ番号はファイル名の一部として付加される。
【００３５】
たとえば、１番目に読み取った画像の画像ファイルには、ファイル名として「ＤＳＣＦ０００１」というファイル名が付与される。この場合、先頭のアルファベット四文字を除く数字部分、すなわち「０００１」がコマ番号となる。また、２番目に読み取った画像の画像ファイルには、ファイル名として「ＤＳＣＦ０００２」というファイル名が付与され、この場合、コマ番号は「０００２」となる。
【００３６】
また、システムコントローラ１６は、各画像ファイルにフイルムＩＤの情報とコマ順確定の有無の情報を付加してＨＤＤ２２に格納する（ステップＳ１２）。
【００３７】
フイルムＩＤの情報とは、同じフイルムから読み取った画像ファイルを識別する情報であり、たとえば「ＦＩＬＭ０００１」等の情報が、同じフイルムから読み取られた画像ファイルに付加される。このフイルムＩＤは、フイルムスキャナ１２へのフイルムのセット時にオペレータが操作部１８から入力する。あるいは、フイルムセット時にシステムコントローラ１６から自動で付与される。
【００３８】
また、コマ順確定の有無の情報とは、画像ファイルが、撮影順にコマ番号が付されて記録されているか否かを示す情報であり、画像ファイルが、撮影順にコマ番号が付されて記録されているものに対しては「コマ順確定＝ＹＥＳ」の情報が付加される、一方、画像ファイルが、撮影順にコマ番号が付されて記録されているか否か不明なものに対しては「コマ順確定＝ＮＯ」の情報が付加される。
【００３９】
上記ステップ１０で、撮影方向判定可能と判断された場合は、撮影順に画像が読み取られるので、「コマ順確定＝ＹＥＳ」の情報が付加される。
【００４０】
なお、このフイルムＩＤの情報とコマ順確定の有無の情報は、たとえばＥｉｘｆファイルの付属情報に記録される。
【００４１】
Ｅｘｉｆファイルは、図３に示すように、付属情報を画像ファイルのヘッダ部にタグ形式で記録することができるようにされている。付属情報タグには、図４に示すように、バージョンに関する情報や画像データの特性に関する情報、構造に関する情報、ユーザー情報、関連ファイル情報、日時に関する情報、撮影条件に関する情報、ＩＦＤへのポインタに関する情報等の撮影した画像に関する撮影データがタグ形式で記録される。
【００４２】
ここで、ユーザー情報に関するタグであるメーカーノートには、メーカーが個別の情報を記入することができるようにされており、また、ユーザーコメントには、ユーザーがキーワードやコメントを書き込むことができるようにされている。本実施の形態のフイルムデジタイズ装置１０では、このＥｉｘｆファイルにおける、ユーザーコメントのエリアにフイルムＩＤの情報とコマ順確定ＹＥＳ／ＮＯの情報が書き込まれる。
【００４３】
このように、上記ステップ１０で撮影方向判定可能と判断されると、撮影順に画像が読み取られ、読み取られた順に画像ファイルにコマ番号が付加されてＨＤＤ２２に格納される。
【００４４】
一方、上記ステップ１０で撮影方向判定不能と判断すると、システムコントローラ１６は、セットされたフイルムに記録されている撮影画像をコマ順、すなわち先頭コマから順にデジタイズし（ステップＳ１３）、読み取った順に画像ファイルにコマ番号を付して、ＨＤＤ２２に格納する。この際、読み取った各画像ファイルにフイルムＩＤの情報とコマ順確定＝ＮＯの情報を付加して、ＨＤＤ２２に格納する（ステップＳ１４）。
【００４５】
このように、フイルムデジタイズ装置１０は、撮影方向を判定できる場合は、撮影順に画像をデジタイズし、撮影方向の判定ができない場合は、先頭コマから順に画像をデジタイズする。そして、読み取った順にコマ番号を付して画像ファイルをＨＤＤ２２に格納する。また、撮影順に画像を読み取った場合には、各画像ファイルにコマ順確定＝ＹＥＳの情報を付加し、単に先頭コマから順に画像を読み取った場合には、各画像ファイルにコマ順確定＝ＮＯの情報を付加してＨＤＤ２２に記録する。さらに、同じフイルムから読み取った画像ファイルについては、同じフイルムＩＤの情報を付加して、ＨＤＤ２２に記録する。
【００４６】
そして、あらかじめ予定された数量の画像ファイルの読み取りが終了すると、システムコントローラ１６は、ＣＤ−Ｒドライブ２４にコマンドを出力し、ＨＤＤ２２に格納されている画像ファイルをＣＤ−Ｒに記録させる（ステップＳ１５）。
【００４７】
以上により、フイルムに記録されている画像がデジタル化され、デジタルの画像データとしてＣＤ−Ｒに記録される。
【００４８】
以上説明したように、本実施の形態のフイルムデジタイズ装置１０によれば、フイルムから読み取った画像ファイルに対して、同じフイルムから読み取った画像ファイルを識別するためのフイルムＩＤの情報、及び、撮影順にコマ番号が付されて記録されているか否かを示すコマ順確定の有無を表す情報が付加されて、ＣＤ−Ｒに記録される（図５参照）。このため、ＣＤ−Ｒに格納された画像ファイルを扱うユーザは、この個々の画像ファイルに付加された情報を読み取ることにより、ＣＤ−Ｒに格納されている画像ファイルを容易に管理することができるようになる。
【００４９】
たとえば、同じフイルムＩＤの情報を有する画像ファイルを抽出することにより、同じフイルムから読み出した一連の画像ファイルを容易に識別することができる。また、抽出した一連の画像ファイルのコマ順が確定していない場合は、抽出した一連の画像ファイルをコマ番号順に並べて一覧表示させることにより、撮影順にコマ番号が付されているか否か（撮影順に読み取られているか否か）を一目で把握することができる。そして、撮影順にコマ番号が付されていない場合は、一括してコマ番号を逆転処理させることにより、撮影順にコマ番号を与え直すことができる。
【００５０】
以下、上記のフイルムデジタイズ装置１０によってフイルムから読み取った画像ファイルを管理する画像管理プログラムについて説明する。
【００５１】
図６は、本実施の形態の画像管理プログラムを実行させるコンピュータ（パーソナルコンピュータ）のハードウェア構成例を示すブロック図である。
【００５２】
パーソナルコンピュータ５０は、一般的に用いられているタイプのコンピュータであり、本実施の形態の画像分類プログラムを実行するための中央処理装置（ＣＰＵ）５２、ＣＰＵ５２における演算結果や画像データ等を一時的に格納するためのＲＡＭ５４、オペレーティングシステム（ＯＳ）や本発明に係る画像分類プログラム、各種アプリケーションプログラム、画像ファイル等を格納するためのハードディスクドライブ（ＨＤＤ）５６、ＣＤ−ＲＯＭに格納されたデータを読み取るためのＣＤ−ＲＯＭドライブ５８、ＣＰＵ５２における演算結果や画像データ等を表示するための表示装置６０、コマンド、数値等を入力するためのキーボード、マウスといった入力装置６２等を備えており、これらは相互にバス６４で接続されている。
【００５３】
フイルムデジタイズ装置１０によってフイルムから読み取られ、ＣＤ−Ｒに書き込まれた画像ファイルは、ＣＤ−ＲＯＭドライブ５８から読み出されて、ＨＤＤ５６に格納される。
【００５４】
本実施の形態の画像管理プログラムは、上記パーソナルコンピュータ５０のＨＤＤ５６にインストールされ、ＨＤＤ５６からＲＡＭ５４にロードされて、ＣＰＵ５２による実行制御がなされる。なお、プログラムは、ＣＤ−ＲＯＭ等に格納したものをＣＤ−ＲＯＭドライブ５８等で読み取って実行してもよいし、また、ネットワークからダウンロードして実行するようにしてもよい。
【００５５】
本実施の形態の画像管理プログラムは、画像ファイルを管理する機能と画像ファイルを閲覧する機能を備えている。
【００５６】
図７は、本実施の形態の画像管理プログラムのメインウインドウであり、プログラムを起動すると、同図に示すメインウインドウが表示装置６０に表示される。
【００５７】
メインウインドウは、画面左側に表示されるフォルダツリー表示領域と、画面右側に表示されるサムネイル表示領域とからなる。
【００５８】
フォルダツリー表示領域には、パーソナルコンピュータ５０にあるフォルダが階層的に表示される。このフォルダツリー表示領域に表示されたフォルダを選択すると、選択されたフォルダに格納されている画像ファイルが、サムネイル表示領域にサムネイル形式で一覧表示される。
【００５９】
なお、選択したフォルダ内に画像ファイルが存在しない場合は、サムネイル表示領域には何も表示されず、選択したフォルダ内に更にフォルダが存在する場合には、サムネイル表示領域にフォルダのアイコンが一覧表示される。
【００６０】
サムネイル表示領域にサムネイル形式で一覧表示された画像ファイルの中から任意の画像ファイルを選択（ダブルクリック）すると、選択された画像ファイルが別ウインドウで拡大表示される。
【００６１】
また、スライドショーの機能を実行させると、選択されたフォルダに格納されている画像ファイルが一定間隔でコマ送りされて自動再生される。
【００６２】
さて、本実施の形態の画像管理プログラムでは、同じフイルムから読み取った一連の画像ファイルを抽出する機能、抽出した一連の画像ファイルに対して一括してファイル名（コマ番号）を変換する機能、抽出した一連の画像ファイルに対して撮影日時の情報を書き込む機能等を備えている。
【００６３】
まず、同じフイルムから読み取った一連の画像ファイルを抽出する機能について説明する。
【００６４】
図８は、同じフイルムから読み取った一連の画像ファイルを抽出する処理の手順を示すフローチャートである。
【００６５】
まず、ユーザは、抽出しようとする画像ファイル群が格納されたフォルダを選択する（ステップＳ２０）。フォルダの選択は、フォルダツリー表示領域上で行なわれる。すなわち、フォルダツリー表示領域に表示されたフォルダの中から分類対象とするフォルダをマウスポインタで選択（シングルクリック）することにより行なわれる。分類対象とするフォルダが、マウスポインタで選択されると、ＣＰＵ５２は、選択されたフォルダに格納されている画像ファイルのサムネイル画像をコマ番号順（ファイル名に含まれるコマ番号順）にサムネイル表示領域に一覧表示させる。なお、図７は、「ＦｏｌｄｅｒＤ」が選択された状態が示されている。
【００６６】
次に、ユーザは、選択されたフォルダに格納されている画像ファイル群の中から同じフイルムから読み出された画像ファイルを抽出するための機能を呼び出す。この画像ファイルの抽出機能の呼び出しは、図９に示すように、ツールバーに表示されたメニューの中から「編集」を選択し、その「編集」のメニューの中から「画像ファイル抽出」を選択することにより行なわれる。ＣＰＵ５２は、この「画像ファイル抽出」の機能が呼び出されたか否か判定する（ステップＳ２１）。そして、この「画像ファイル抽出」の機能が呼び出されたことを検出すると、ＣＰＵ５２は、以下の画像ファイルの抽出処理を実行する。
【００６７】
画像ファイルの抽出は、サムネイル表示領域に一覧表示された画像ファイルの中から選択された１の画像ファイルと同じフイルムＩＤを有する画像ファイルを抽出することにより行なわれる。したがって、まず、画像ファイルを１つ選択する処理が必要になる。
【００６８】
このため、「画像ファイル抽出」の機能が実行されると、まず、ＣＰＵ５２は、図９に示すように、画像を１つ選択するように促すメッセージ（「選択した画像と同じフイルムから読み出した一連の画像を抽出します  画像を選択して下さい」）が記載されたダイアログボックスを表示装置６０にポップアップ表示させる。ユーザは、このポップアップ表示されたダイアログボックス中のメッセージに基づいて画像ファイルを１つ選択する（ステップＳ２２）。この画像ファイルの選択は、サムネイル表示領域に一覧表示されているサムネイル画像の中から１つのサムネイル画像をマウスポインタで選択（シングルクリック）することにより行なわれる。
【００６９】
ＣＰＵ５２は、選択されたサムネイル画像の画像ファイルがフイルムＩＤを有しているか否か判定し（ステップＳ２３）、フイルムＩＤを有していれば、そのフイルムＩＤの情報を読み出す。そして、読み出したフイルムＩＤと同じフイルムＩＤを有する画像ファイルを選択されたフォルダの中から抽出する（ステップＳ２４）。
【００７０】
なお、選択した１の画像ファイルにフイルムＩＤの情報がない場合、抽出処理は行なわれず、処理を終了する。
【００７１】
ＣＰＵ５２は、抽出した一連の画像ファイル群のサムネイル画像に識別マーク（枠）を付して表示装置６０に表示させる（ステップＳ２５）。
【００７２】
たとえば、図９に示す例において、サムネイル表示領域に表示された画像ファイルの中から「ＤＳＣＦ００５５．ＪＰＧ」というファイル名の画像ファイルを選択したとすると、その選択した画像ファイル「ＤＳＣＦ００５５．ＪＰＧ」からフイルムＩＤが読み出され、そのフイルムＩＤと同じフイルムＩＤを有する画像ファイルが検索される。
【００７３】
ここで、画像ファイル「ＤＳＣＦ００５５．ＪＰＧ」と同じフイルムＩＤを有する画像ファイルが、「ＤＳＣＦ００３４．ＪＰＧ」〜「ＤＳＣＦ００５７．ＪＰＧ」とすると、図１０に示すように、画像ファイル「ＤＳＣＦ００３４．ＪＰＧ」〜「ＤＳＣＦ００５７．ＪＰＧ」のサムネイル画像に枠が付されてサムネイル表示領域に表示される。
【００７４】
このように、画像ファイル抽出の機能を実行すると、選択した１の画像ファイルと同じフイルムＩＤを有する一連の画像ファイル、すなわち、同じフイルムから読み取った一連の画像ファイルが抽出される。
【００７５】
次に、抽出した一連の画像ファイルに対して一括してファイル名（コマ番号）を変換する機能について説明する。
【００７６】
ファイル名一括変換の機能は、ファイル名に付加されているコマ番号の順番を一括して逆転させる機能であり、撮影順にコマ番号が付加されていない場合に利用される。このファイル名一括変換の処理は、上記の画像ファイル抽出機能で抽出された一連の画像ファイル群に対して実施される。
【００７７】
図１１は、ファイル名一括変換の処理の手順を示すフローチャートである。上述した画像ファイルの抽出処理の実施後、ファイル名一括変換の処理を実施する場合は、まず、ファイル名一括変換の機能を呼び出す。ファイル名一括変換の機能の呼び出しは、ツールバーに表示されたメニューの中から「編集」を選択し、その「編集」のメニューの中から「ファイル名一括変換」を選択することにより行なわれる（図９参照）。
【００７８】
ＣＰＵ５２は、上述した画像ファイルの抽出処理の実施後（ステップＳ３０）、この「ファイル名一括変換」の機能が呼び出されたか否か判定する（ステップＳ３１）。そして、「ファイル名一括変換」の機能が呼び出されたことを検出すると、次のファイル名一括変換の処理を実行する。すなわち、抽出された一連の画像ファイル群のファイル名に付加されているコマ番号の並びを逆転させる。
【００７９】
たとえば、画像ファイルの抽出処理の結果、図１０に示すように、「ＤＳＣＦ００３４．ＪＰＧ」〜「ＤＳＣＦ００５７．ＪＰＧ」が、同じフイルムから読み取られた画像ファイル群（同じフイルムＩＤの画像ファイル群）として抽出されたと仮定する。
【００８０】
この場合、ファイル名の一括変換処理を実施すると、図１２に示すように、元「ＤＳＣＦ００３４．ＪＰＧ」というファイル名の画像ファイル（Ａ）のファイル名が、「ＤＳＣＦ００５７．ＪＰＧ」というファイル名に変換される。一方、元「ＤＳＣＦ００５７．ＪＰＧ」というファイル名の画像ファイル（Ｖ）のファイル名は、「ＤＳＣＦ００３４．ＪＰＧ」というファイル名に変換される。同様に元「ＤＳＣＦ００３５．ＪＰＧ」というファイル名の画像ファイル（Ｂ）のファイル名は「ＤＳＣＦ００５６．ＪＰＧ」というファイル名に変換され、元「ＤＳＣＦ００５６．ＪＰＧ」というファイル名の画像ファイル（Ｖ）のファイル名は、「ＤＳＣＦ００３５．ＪＰＧ」というファイル名に変換される。
【００８１】
このように、ファイル名一括変換の処理を実行すると、抽出された画像ファイル群のファイル名に含まれるコマ番号の部分が逆転される。
【００８２】
この結果、撮影した順にコマ番号が振りなおされ、図１３に示すように、サムネイル表示領域にサムネイル画像を一覧表示させた際、撮影順に画像が表示される（コマ番号順に表示させた場合）。
【００８３】
なお、このファイル名一括変換処理によりコマ順が確定するので、抽出した各画像ファイルにコマ順確定＝ＹＥＳの情報を付加するようにしてもよい。
【００８４】
次に、抽出した一連の画像ファイルに対して一括して撮影日時の情報を付加する機能に（撮影日時編集機能）ついて説明する。
【００８５】
撮影日時編集機能は、上記のファイル名一括変換の機能と同様に、画像ファイル抽出機能で抽出された一連の画像ファイル群に対して実施される。
【００８６】
図１４は、撮影日時編集処理の手順を示すフローチャートである。上述した画像ファイルの抽出処理の実施後、撮影日時編集処理を実施する場合は、まず、撮影日時編集の機能を呼び出す。撮影日時編集の機能の呼び出しは、ツールバーに表示されたメニューの中から「編集」を選択し、その「編集」のメニューの中から「撮影日時編集」を選択することにより行なわれる（図９参照）。
【００８７】
ＣＰＵ５２は、上述した画像ファイルの抽出処理の実施後（ステップＳ４０）、この「撮影日時編集」の機能が呼び出されたか否か判定する（ステップＳ４１）。そして、「撮影日時」の機能が呼び出されたことを検出すると、以下における撮影日時の編集処理を実行する。
【００８８】
撮影日時の編集処理は、画像ファイルに撮影日時の情報を付加する機能であるので、付加する撮影日時を入力する必要がある。このため、「撮影日時編集」の機能が呼び出されると、ＣＰＵ５２は、図１５に示すように、撮影日時を入力するためのダイアログボックスを表示装置６０にポップアップ表示させる。
【００８９】
ユーザは、このポップアップ表示されたダイアログボックスに形成された撮影日時入力欄に画像ファイルに付加する撮影日時を入力し（ステップＳ４２）、処理の実行を指示する（「ＯＫ］ボタンをクリックする）。
【００９０】
処理実行の指示がだされると、ＣＰＵ５２は、入力された撮影日時の情報を抽出された一連の画像ファイル群に一括して付加する（ステップＳ４３）。この撮影日時の情報は、たとえばＥｉｘｆファイルの付属情報に記録される。すなわち、図４に示すように、Ｅｉｘｆファイルには、付属情報として日時に関するタグを記録できるようにされており、この日時に関するタグにおける原画像データの生成日時に記録される。
【００９１】
このように、撮影日時の編集処理を実行することにより、フイルムから読み取った画像ファイルに対して実際に撮影した日時の情報を付加することができる。
【００９２】
なお、上記の処理では、抽出した画像ファイルの撮影日時が、すべて同じになってしまうが、次のような処理を行なうことにより、画像ファイル間で時間的な前後の区別をつけることができる。すなわち、撮影日時の情報を付加する際、各画像ファイルに対してコマ番号順に一定差分を設けて撮影日時の情報を付加する。たとえば、画像ファイルに付加する撮影日時を２００４年１月１日００時００分００秒とし、差分を１０分とした場合、先頭コマ番号の画像ファイルに対して「２００４年１月１日００時００分００秒」という撮影日時の情報を付加し、次のコマ番号の画像ファイルには、「２００４年１月１日００時１０分００秒」、その次のコマ番号の画像ファイルには、「２００４年１月１日００時２０分００秒」というように、設定した差分だけずらして各画像ファイルに撮影日時の情報を付加する。
【００９３】
以下、この差分を設けて撮影日時を追加する場合の処理の手順について説明する。なお、ここでは、各画像ファイルに同じ撮影日時の情報を付加する処理と、差分を設けて撮影日時の情報を付加する処理とを選択できる場合について説明する。
【００９４】
図１６は、画像ファイルに同じ撮影日時の情報を付加する処理と差分を設けて付加する処理とを選択して実施する場合の処理の手順を示すフローチャートである。
【００９５】
上記同様にＣＰＵ５２は、画像ファイルの抽出処理の実施後（ステップＳ５０）、「撮影日時編集」の機能が呼び出されたか否かを判定する（ステップＳ５１）。そして、「撮影日時」の機能が呼び出されたと判定すると、以下における撮影日時の編集処理を実行する。
【００９６】
まず、ＣＰＵ５２は、図１７に示すように、撮影日時及び差分を入力するためのダイアログボックスを表示装置６０にポップアップ表示させる。ユーザは、このポップアップ表示されたダイアログボックスに形成された入力欄に所要の撮影日時の編集情報を入力する（ステップＳ５２）。
【００９７】
ここで、このダイアログボックスには、撮影日時の情報を入力する欄と差分の情報を入力する欄が設けられており、また、差分の情報を入力する欄の前には、チェックボックスが設けられている。ユーザは、各画像ファイルに付加する撮影日時に差分を設ける場合には、この差分の情報を入力する欄の前に設けられたチェックボックスにチェックを入れ、差分の情報を入力する。
【００９８】
所要の撮影日時の編集情報が入力され、処理の実行が指示されると（「ＯＫ］ボタンのクリック）、ＣＰＵ５２は、差分の設定がされているか否かを判定する（ステップＳ５３）。そして、差分の設定がされていない場合は、入力された撮影日時の情報を抽出された一連の画像ファイル群に一括して付加する（ステップＳ５４）。
【００９９】
一方、差分の設定が行なわれている場合は、抽出された一連の画像ファイル群に対して各コマごとに設定された差分を設けて撮影日時の情報を付加する。すなわち、先頭コマ番号の画像ファイルに対して入力された撮影日時の情報を付加し、以下、入力された差分を加えた日時を撮影日時として、コマ番号順に各画像ファイルに撮影日時の情報を付加する（ステップＳ５５）。
【０１００】
たとえば、画像ファイル「ＤＳＣＦ００３４．ＪＰＧ」〜「ＤＳＣＦ００５７．ＪＰＧ」という画像ファイル群に対して、撮影日時を「２００４年０１月０１日００時００分００秒」に設定し、差分を「００時１０分００秒」に設定した場合には、図１７に示すように、画像ファイル「ＤＳＣＦ００３４．ＪＰＧ」には、「２００４年０１月０１日００時００分００秒」という撮影日時が付加され、「ＤＳＣＦ００３５．ＪＰＧ」には「２００４年０１月０１日００時１０分００秒」、「ＤＳＣＦ００３６．ＪＰＧ」には「２００４年０１月０１日００時２０分００秒」というように、１０分後ごとの差分が設けられた撮影日時が付加される。
【０１０１】
このように、差分を設けて画像ファイルに撮影日時の情報を付加することにより、画像を撮影日時順に並べた際、撮影した順に並べることができる。
【０１０２】
なお、差分はコマ番号順に付けられるので、差分を設けて画像ファイルに撮影日時の情報を付加する場合、画像ファイルに対して撮影順にコマ番号が付加されていることが前提となる。
【０１０３】
ところで、上述したように、本実施の形態のフイルムデジタイズ装置１０では、フイルムにワインド情報が付されている場合、このワインド情報を読み取って、撮影順に画像を読み取ることができ、読み取った順にコマ番号を付して画像ファイルをＣＤ−ＲＯＭに記録することができる。そして、このように撮影順に画像を読み取った場合には、コマ順確定ＹＥＳの情報が画像ファイルに付される。
【０１０４】
そこで、この画像ファイルに付されたコマ順確定ＹＥＳの情報の有無を利用することにより、差分を設けて画像ファイルに撮影日時の情報を付加する場合、処理対象となる画像ファイル群にコマ番号が撮影順に付加されているか否か判断することができる。そして、この判断の結果、撮影順にコマ番号が付されていれば、コマ番号順に差分を設けて画像ファイルに撮影日時の情報を付加することができる。一方、撮影順にコマ番号が付されているか不明であれば、画像ファイルにコマ番号が撮影順に付されているか否か、ユーザに確認を促すことができる。
【０１０５】
以下、このコマ順確定ＹＥＳの情報を利用した画像ファイルの撮影日時の編集処理の手順について説明する。
【０１０６】
図１９は、コマ順確定ＹＥＳの情報を利用した画像ファイルの撮影日時の編集処理の手順を示すフローチャートである。
【０１０７】
なお、抽出した一連の画像ファイル群に対して同じ撮影日時の情報を付加する場合の処理（ステップＳ５０〜Ｓ５４）は、上記と同様なので、ここでは各画像ファイルに差分を設けて撮影日時の情報を付加する場合（差分が設定されている場合）の処理についてのみ説明する。
【０１０８】
ステップＳ５３において、差分設定が行なわれたと判定すると、ＣＰＵ５２は、処理対象とする画像ファイル群にコマ順確定＝ＹＥＳの情報が付加されているか否かを判定する（ステップＳ６０）。
【０１０９】
ここで、画像ファイル群にコマ順確定＝ＹＥＳの情報が付加されている場合、ＣＰＵ５２は、抽出された一連の画像ファイル群に対して各コマごとに設定された差分を設けてコマ番号順に撮影日時の情報を付加する（ステップＳ６１）。
【０１１０】
一方、画像ファイル群にコマ順確定＝ＹＥＳの情報が付加されていない場合、すなわち、コマ順確定＝ＮＯの場合、あるいはコマ順確定情報がない場合は、ＣＰＵ５２は、図２０に示すように、処理を強制的に実行するか否かを問い合わせるメッセージ（「コマ順が確定していません  処理を実行しますか？」）が表示されたダイアログボックスを表示装置６０にポップアップ表示させる。
【０１１１】
ユーザは、このダイアログボックスに表示されたメッセージに従って処理を強制的に実行するか否か判断する。そして、処理を実行する場合は「実行」のボタンをクリックし、処理を止める場合は「終了」のボタンをクリックする。
【０１１２】
ＣＰＵ５２は、この入力指示に応じて処理を実行するか否か判定する（ステップＳ６２）。そして、処理実行が指示されたと判定した場合は、抽出された一連の画像ファイル群に対して各コマごとに設定された差分を設けてコマ番号順に撮影日時の情報を付加する（ステップＳ６１）。
【０１１３】
一方、処理終了が指示されたと判定した場合は、撮影日時編集の処理を中止する。この場合、必要に応じて上述したファイル名変換処理を実行する。
【０１１４】
このように、画像ファイルに付されたコマ順確定＝ＹＥＳの情報の有無を利用することにより、誤った順番で撮影日時の情報が画像ファイルに付加されるのを未然に防ぐことができる。
【０１１５】
なお、差分を設けて撮影日時の情報を付加する場合は、常に処理を強制実行するか否か問い合わせるようにしてもよい。この場合、コマ順確定＝ＹＥＳの情報の有無は不要となる。このように、コマ順確定＝ＹＥＳ／ＮＯの情報は必ずしも必要なものではなく、フイルムデジタイズ装置１０においても、必ずしも読み取った画像ファイルに付加する必要はない。
【０１１６】
なお、本実施の形態では、画像ファイルのファイル名の一部にコマ番号を組み込むことで画像ファイルにコマ番号を付しているが、画像ファイルのメタデータにコマ番号を記録して、コマ番号を付加するようにしてもよい。
【０１１７】
また、本実施の形態のフイルムデジタイズ装置では、フイルムから読み取った画像ファイルをＣＤ−Ｒに記録することとしているが、記憶メディアの種類は、これに限定されるものではなく、たとえばＤＶＤ−ＲやＭＯ等の記憶メディアに記録するようにしてもよい。また、ネットワークを通じて直接ユーザに提供するようにしてもよい。
【図面の簡単な説明】
【０１１８】
【図１】本発明に係るフイルムデジタイズ装置の一実施形態を示すブロック図
【図２】フイルムデジタイズ装置によるフイルムデジタイズ処理の手順を示すフローチャート
【図３】Ｅｘｉｆファイルの説明図
【図４】Ｅｘｉｆファイルに付加される付属情報の説明図
【図５】画像ファイルの説明図
【図６】コンピュータのハードウェア構成例を示すブロック図
【図７】本実施の形態の画像管理プログラムのメインウインドウを示す図
【図８】画像ファイル抽出処理の手順を示すフローチャート
【図９】画像ファイル抽出処理中のメインウインドウの表示例を示す図
【図１０】画像ファイル抽出処理後のメインウインドウの表示例を示す図
【図１１】ファイル名一括変換処理の手順を示すフローチャート
【図１２】ファイル名一括変換処理の概念図
【図１３】ファイル名一括変換処理後のメインウインドウの表示例を示す図
【図１４】撮影日時編集処理の手順を示すフローチャート
【図１５】撮影日時編集処理中のメインウインドウの表示例を示す図
【図１６】画像ファイルに同じ撮影日時の情報を付加する処理と差分を設けて付加する処理とを選択して実施する場合の処理の手順を示すフローチャート
【図１７】撮影日時編集処理時におけるメインウインドウの表示例を示す図
【図１８】差分を設けて撮影日時を付加する処理の概念図
【図１９】コマ順確定ＹＥＳの情報を利用した画像ファイルの撮影日時の編集処理手順を示すフローチャート
【図２０】撮影日時編集処理中のメインウインドウの表示例を示す図
【符号の説明】
【０１１９】
１０…フイルムデジタイズ装置、１２…フイルムスキャナ、１４…スキャナ用メモリ、１６…システムコントローラ、１８…操作部、２０…画像処理部、２２…ハードディスクドライブ（ＨＤＤ）、２４…ＣＤ−Ｒドライブ、５０…パーソナルコンピュータ、５２…中央処理装置（ＣＰＵ）、５４…ＲＡＭ、５６…ハードディスクドライブ（ＨＤＤ）、５８…ＣＤ−ＲＯＭドライブ、６０…表示装置、６２…入力装置
【図１】
2005269219.tif 000003
【図２】
2005269219.tif 000004
【図３】
2005269219.tif 000005
【図４】
2005269219.tif 000006
【図５】
2005269219.tif 000007
【図６】
2005269219.tif 000008
【図７】
2005269219.tif 000009
【図８】
2005269219.tif 000010
【図９】
2005269219.tif 000011
【図１０】
2005269219.tif 000012
【図１１】
2005269219.tif 000013
【図１２】
2005269219.tif 000014
【図１３】
2005269219.tif 000015
【図１４】
2005269219.tif 000016
【図１５】
2005269219.tif 000017
【図１６】
2005269219.tif 000018
【図１７】
2005269219.tif 000019
【図１８】
2005269219.tif 000020
【図１９】
2005269219.tif 000021
【図２０】
2005269219.tif 000022